(57)【要約】      （修正有）【課題】簡単な構成で、押すという動作のみで上下の往復動作ができ、揉み動作も可能な、皺やよじれ、布の劣化が少ないマスク等の揉み洗いに好適な洗濯用具を提供する。【解決手段】洗濯用具１００は、洗濯物１１１を入れる有孔の箱体１１０と、上下動させる移動手段１２０とを備え、移動手段は復元手段１２２を備えて、押し操作のみにより往復の上下動を行うことを可能としたものである。【選択図】図１
0003233237.tif 000002
【実用新案登録請求の範囲】
【請求項１】
洗剤を含む洗浄水を通過する孔を有し、洗濯物を入れる箱体と、前記箱体を前記洗浄水の中で上下移動する移動手段と、を有し、前記移動手段は、前記箱体を押す力を緩めた場合に、前記箱体を押し戻す復元手段を有することを特徴とする洗濯用具。
【請求項２】
前記移動手段は、前記箱体の内部で上下に移動可能な移動板と、前記移動板の下に接続され、前記箱体の下面板の孔を通って前記下面板の下側に出た第一の支軸と、を備え、
前記復元手段は、前記下面板と第一の支軸の下側、又は、前記下面板と第一の支軸を立状態に下側を保持する保持板、との間に付設されていることを特徴とする請求項１記載の洗濯用具。
【請求項３】
前記移動手段は、第二の支軸と第二の支軸を立状態に保持する保持板と、を備え、
前記箱体は、第二の支軸に沿って移動自在に係合した係合部を前記箱体周辺に備えていることを特徴とする請求項１又は請求項２記載の洗濯用具。
【請求項４】
前記移動手段は、前記箱体を押す力を伝える取っ手を備えていることを特徴とする請求項１から請求項３のいずれか１つに記載の洗濯用具。
【請求項５】
前記上下移動をさせる押し動作をした場合に、前記取っ手の延長部が、前記箱体又は前記係合部と接触する構成を特徴とする請求項４記載の洗濯用具。
【考案の詳細な説明】
【技術分野】
【０００１】
本考案は、マスク等の揉み洗いが適当なものの洗濯に使用する洗濯用具に関するものである。
【背景技術】
【０００２】
従来、このような用具として、以下のようなものが見られる。図４に特許文献１から引用してその図を示す。これは、マスク洗浄具であって、図４を参考に説明すると、洗浄水を取り入れ、排出する通孔を有する底面を持つ上端開口の箱状本体と箱状本体の側壁に沿って移動させる板状の押圧体からなり、マスクを箱状本体の底面上に置いて、洗浄水が入った洗面器等に載置する。押圧体を持ち上げた状態で洗浄水に底面が接していれば、洗浄水は、通孔を通じてマスクの位置に導入され、洗浄水に底面が漬かっていない状態で押圧体を押し下げると、洗浄水は、通孔を通じて排出される。簡単な構成である点は、良いが、洗浄水の導入と排出の度に、洗浄水に底面を浸したり、引き上げたりするのは面倒な作業であり、箱状本体と押圧体を各々、両手でもって押圧体を移動させる必要があり極めて使いにくいという欠点がある。そうしないと、箱状本体と押圧体の互いの相対位置は変わらないからである。
【先行技術文献】
【特許文献】
【０００３】
【特許文献１】実用新案登録第３２２７５２０号
【考案の概要】
【考案が解決しようとする課題】
【０００４】
本願の課題は、上記の欠点を回避し使い方が容易であり、マスク等の揉み洗いに好適な洗濯用具を提供することである。
【課題を解決するための手段】
【０００５】
以下請求項に沿い記述する。
請求項１記載の考案は、洗濯用具であって、
洗剤を含む洗浄水を通過する孔を有し、洗濯物を入れる箱体と、前記箱体を前記洗浄水の中で上下移動する移動手段と、を有し、前記移動手段は、前記箱体を押す力を緩めた場合に、前記箱体を押し戻す復元手段を有することを特徴とする。
【０００６】
請求項２記載の考案は、請求項１記載の洗濯用具において、
前記移動手段は、前記箱体の内部で上下に移動可能な移動板と、前記移動板の下に接続され、前記箱体の下面板の孔を通って前記下面板の下側に出た第一の支軸と、を備え、
前記復元手段は、前記下面板と第一の支軸の下側、又は、前記下面板と第一の支軸を立状態に下側を保持する保持板、との間に付設されていることを特徴とする。
【０００７】
請求項３記載の考案は、請求項１又は請求項２記載の洗濯用具において、
前記移動手段は、第二の支軸と第二の支軸を立状態に保持する保持板と、を備え、
前記箱体は、第二の支軸に沿って移動自在に係合した係合部を前記箱体周辺に備えていることを特徴とする。
【０００８】
請求項４記載の考案は、請求項１から請求項３のいずれか１つに記載の洗濯用具において、前記移動手段は、前記箱体を押す力を伝える取っ手を備えていることを特徴とする。
【０００９】
請求項５記載の考案は、請求項４記載の洗濯用具において、
前記上下移動をさせる押し動作をした場合に、前記取っ手の延長部が、前記箱体又は前記係合部と接触する構成を特徴とする。
【考案の効果】
【００１０】
以上の様に構成されているので、本考案による洗濯用具では、簡単な構成で、上記の欠点を回避し、揉み動作も可能な洗濯ができるので、皺やよじれ、布の劣化が少ない洗濯を提供できる。
【図面の簡単な説明】
【００１１】
【図１】本考案にかかる洗濯用具の一実施態様を示す図である。
【図２】本考案にかかる洗濯用具の他の一実施態様を示す図である。
【図３】本考案にかかる洗濯用具の他の一実施態様を示す図である。
【図４】従来のマスク洗浄具の例を示す図である。
【考案を実施するための形態】
【００１２】
本考案にかかる洗濯用具は、図１から図３の全てにおいて、共通する概念は、洗濯用具１００は、洗剤を含む洗浄水を通過する孔を有し、マスク等の洗濯物を入れる箱体１１０と、この箱体１１０を洗浄水の中で上下移動する移動手段１２０と、を有し、手動の上下移動の場合には、移動手段１２０は、取っ手等の押し手段１２１と、押し手段１２１への押し力を緩めた場合に、箱体１１０を押し戻すバネ等の復元手段１２２と、を有することである。このことにより、洗浄水中で箱体１１０従って洗濯物が上下移動することが容易にできる。
【００１３】
先ず、図１について説明する。
図１は、本考案にかかる洗濯用具の一実施態様を示す図である。
１−Ａには、洗濯用具１００、１−Ｂには、箱体１１０、１−Ｃには、洗浄水を入れる容器１３０、１−Ｄには、箱体１１０を容器１３０に入れた状態で、使用状態を示す。
１−Ｂにおいて、箱体１１０は、網目や有孔など少なくとも洗浄水が通過できる有孔で、マスク等の洗濯物１１１を入れるものであるが、出し入れ容易なように、箱体１１０の上面板１１２Ａに開閉容易な扉が付いているものが好都合である。
１−Ａにおいて、移動手段１２０に箱体１１０が設置された状態を示している。この例
こだわらないが、移動手段１２０は、箱体１１０を押す押し手段１２１と押し手段１２１への押し力を緩めた場合に、箱体１１０を押し戻すバネ等の弾性体による復元手段１２２を有している。
この例では、バネ等の復元手段１２２や箱体１１０を保持板１２３上の支軸１２４に保持してあることで、箱体１１０の移動は、支軸１２４に沿って上下動することになる。
復元手段１２２の圧縮と伸張の差分だけの上下移動ができる。
説明の都合上図示してあるが、洗濯物１１１は構成には含まないことは、当然である。
【００１４】
図２は、本考案にかかる洗濯用具の他の一実施態様を示す図である。
２−Ａには、洗濯用具１００を、２−Ｂには、部分断面図を、２−Ｃには、洗濯用具１００を容器１３０にいれた状態を示す。
図１のものは、支軸１２４と復元手段１２２が箱体１１０の横の周囲にあったが、図２では、箱体１１０の下面板１１２Ｂの下側にある。従って、箱体１１０を手で持った時に、保持板１２３とも一体で持てる構造になっている。図示しないが、支軸１２４自体を復元手段１２２を持つ伸縮構成にしてもよいが、更に、好ましいことは、支軸１２４が、箱体１１０の底の下面板１１２Ｂに備えた穴から内部に挿入されていて、下面板１１２Ｂの上（箱の内側）に載せた自在に動く移動板１１３に下から接続している構成ができる。そして、箱体１１０の下面板１１２Ｂと保持板１２３の間で支軸１２４に復元手段１２２が付いている。
このことにより、箱体１１０の上面板１１２Ａを下に押すと、箱体が下に沈み、保持板１２３が容器１３０の底により押し返されると、保持板１２３は、上方向に押されて、
支軸１２４が上に押され、箱体１１０に対して移動板１１３が上に上がって、移動板１１３上に載せた洗濯物を箱体１１０の上面板１１２Ａとの間で圧迫し（揉み押しの効果）、逆に、手を放すなど、箱体１１０の上面を下に押す力を除くと、箱体１１０と保持板１２３の間で支軸１２４に付いた復元手段１２２の復元力により、元の状態に復帰する。
この動作は、箱体１１０の上下動に加えて、移動板１１３の上下動という動作が招来し、揉みだし効果ももたらしている。なお、ここでは、箱体１１０の上下動の移動には、押し手段１２１の様なものは、特別には必要がなく、箱体１１０自体を手で押してもよい。
しかし、手を洗浄水につけたくない場合は、押し手段１２１のようなものを介した方が良い。
【００１５】
図３は、本考案にかかる洗濯用具の他の一実施態様を示す図である。
図１及び図２と比較して明らかなように、図２の下面板の下に備えた支軸１２４や復元手段１２２とともに、図１の横に備えた支軸１２４や復元手段１２２も備えている。
詳細な説明は不要と思われるが、この場合には、図２と同じ復元手段の効果があるので、図１と同じ復元手段１２２は、必ずしも必要ではなく、有る場合と無い場合の両者が考えられる。支軸１２４に沿った上下動は、有った方が安定な操作がしやすい効果がある。或いは、図２の箱体の下につけた支軸を１個（復元体は、無くともよい）増やして、３本構成の支軸に沿った上下動にしてもよい。
【００１６】
尚、押し手段１２１を電動機械的手段に接続し、上下動動作を行わせることも可能である。当然のことながら、構成する板は、洗浄水が通過できるようにメッシュ等有孔の状態が望ましい。又、支軸１２４が複数ある場合に、支軸１２４を支える保持板１２３は、１枚の共通の板が望ましいが、個別の複数の板になっていてもかまわない。更に支軸１２４のみで、保持板１２３が無い構成も、不安定さをなくすように構成すれば可能である。また、復元手段１２２として、コイルバネでなく、板バネを用いれば、支軸１２４も不要となるが、支軸に着いた移動板１１３による揉み動作がなくなるので、効果は減少する。
以上のことは、本願の思想の範囲である。又、支軸１２４は、図２のものは、第一の支軸、
図１のものは、第二の支軸として請求の範囲では区別した表現にした。
【産業上の利用可能性】
【００１７】
以上のように本考案にかかる洗濯用具は、簡単な構成で、揉み動作も可能な洗濯ができるので、皺やよじれ、布の劣化が少ない洗濯を提供でき産業上利用して極めて好都合である。
【００１８】
１００  洗濯用具
１１０  箱体
１１１  洗濯物
１１２Ａ  上面板
１１２Ｂ  下面板
１１３  移動板
１２０  移動手段
１２１  押し手段
１２２  復元手段
１２３  保持板
１２４  支軸
１３０  容器
【図１】
0003233237.tif 000003
【図２】
0003233237.tif 000004
【図３】
0003233237.tif 000005
【図４】
0003233237.tif 000006
【手続補正書】
【提出日】令和3年4月29日(2021.4.29)
【手続補正１】
【補正対象書類名】実用新案登録請求の範囲
【補正対象項目名】全文
【補正方法】変更
【補正の内容】
【実用新案登録請求の範囲】
【請求項１】
洗剤を含む洗浄水を通過する孔を有し、洗濯物を入れる箱体と、前記箱体を前記洗浄水の中で上下移動する移動手段と、を有し、前記移動手段は、前記箱体を押す力を緩めた場合に、前記箱体を押し戻す復元手段を有することを特徴とする洗濯用具。
【請求項２】
前記移動手段は、前記箱体の内部で上下に移動可能な移動板と、前記移動板の下に接続され、前記箱体の下面板の孔を通って前記下面板の下側に出た第一の支軸と、を備え、
前記復元手段は、前記下面板と第一の支軸の下側、又は、前記下面板と第一の支軸を立状態に下側を保持する保持板、との間に付設されていることを特徴とする請求項１記載の洗濯用具。
【請求項３】
前記移動手段は、第二の支軸と第二の支軸を立状態に保持する保持板と、を備え、
前記箱体は、第二の支軸に沿って移動自在に係合した係合部を前記箱体周辺に備えていることを特徴とする請求項１又は請求項２記載の洗濯用具。
【請求項４】
前記移動手段は、前記箱体を押す力を伝える取っ手を備えていることを特徴とする請求項３に記載の洗濯用具。
【請求項５】
前記上下移動をさせる押し動作をした場合に、前記取っ手の延長部が、前記箱体又は前記係合部と接触する構成を特徴とする請求項４記載の洗濯用具。
【手続補正２】
【補正対象書類名】明細書
【補正対象項目名】全文
【補正方法】変更
【補正の内容】
【考案の詳細な説明】
【技術分野】
【０００１】
本考案は、マスク等の揉み洗いが適当なものの洗濯に使用する洗濯用具に関するものである。
【背景技術】
【０００２】
従来、このような用具として、以下のようなものが見られる。図４に特許文献１から引用してその図を示す。これは、マスク洗浄具であって、図４を参考に説明すると、洗浄水を取り入れ、排出する通孔を有する底面を持つ上端開口の箱状本体と箱状本体の側壁に沿って移動させる板状の押圧体からなり、マスクを箱状本体の底面上に置いて、洗浄水が入った洗面器等に載置する。押圧体を持ち上げた状態で洗浄水に底面が接していれば、洗浄水は、通孔を通じてマスクの位置に導入され、洗浄水に底面が漬かっていない状態で押圧体を押し下げると、洗浄水は、通孔を通じて排出される。簡単な構成である点は、良いが、洗浄水の導入と排出の度に、洗浄水に底面を浸したり、引き上げたりするのは面倒な作業であり、箱状本体と押圧体を各々、両手でもって押圧体を移動させる必要があり極めて使いにくいという欠点がある。そうしないと、箱状本体と押圧体の互いの相対位置は変わらないからである。
【先行技術文献】
【特許文献】
【０００３】
【特許文献１】実用新案登録第３２２７５２０号
【考案の概要】
【考案が解決しようとする課題】
【０００４】
本願の課題は、上記の欠点を回避し使い方が容易であり、マスク等の揉み洗いに好適な洗濯用具を提供することである。
【課題を解決するための手段】
【０００５】
以下請求項に沿い記述する。
請求項１記載の考案は、洗濯用具であって、
洗剤を含む洗浄水を通過する孔を有し、洗濯物を入れる箱体と、前記箱体を前記洗浄水の中で上下移動する移動手段と、を有し、前記移動手段は、前記箱体を押す力を緩めた場合に、前記箱体を押し戻す復元手段を有することを特徴とする。
【０００６】
請求項２記載の考案は、請求項１記載の洗濯用具において、
前記移動手段は、前記箱体の内部で上下に移動可能な移動板と、前記移動板の下に接続され、前記箱体の下面板の孔を通って前記下面板の下側に出た第一の支軸と、を備え、
前記復元手段は、前記下面板と第一の支軸の下側、又は、前記下面板と第一の支軸を立状態に下側を保持する保持板、との間に付設されていることを特徴とする。
【０００７】
請求項３記載の考案は、請求項１又は請求項２記載の洗濯用具において、
前記移動手段は、第二の支軸と第二の支軸を立状態に保持する保持板と、を備え、
前記箱体は、第二の支軸に沿って移動自在に係合した係合部を前記箱体周辺に備えていることを特徴とする。
【０００８】
請求項４記載の考案は、請求項３に記載の洗濯用具において、前記移動手段は、前記箱体を押す力を伝える取っ手を備えていることを特徴とする。
【０００９】
請求項５記載の考案は、請求項４記載の洗濯用具において、
前記上下移動をさせる押し動作をした場合に、前記取っ手の延長部が、前記箱体又は前記係合部と接触する構成を特徴とする。
【考案の効果】
【００１０】
以上の様に構成されているので、本考案による洗濯用具では、簡単な構成で、上記の欠点を回避し、揉み動作も可能な洗濯ができるので、皺やよじれ、布の劣化が少ない洗濯を提供できる。
【図面の簡単な説明】
【００１１】
【図１】本考案にかかる洗濯用具の一実施態様を示す図である。
【図２】本考案にかかる洗濯用具の他の一実施態様を示す図である。
【図３】本考案にかかる洗濯用具の他の一実施態様を示す図である。
【図４】従来のマスク洗浄具の例を示す図である。
【考案を実施するための形態】
【００１２】
本考案にかかる洗濯用具は、図１から図３の全てにおいて、共通する概念は、洗濯用具１００は、洗剤を含む洗浄水を通過する孔を有し、マスク等の洗濯物を入れる箱体１１０と、この箱体１１０を洗浄水の中で上下移動する移動手段１２０と、を有し、手動の上下移動の場合には、移動手段１２０は、取っ手等の押し手段１２１と、押し手段１２１への押し力を緩めた場合に、箱体１１０を押し戻すバネ等の復元手段１２２と、を有することである。このことにより、洗浄水中で箱体１１０従って洗濯物が上下移動することが容易にできる。
【００１３】
先ず、図１について説明する。
図１は、本考案にかかる洗濯用具の一実施態様を示す図である。
１−Ａには、洗濯用具１００、１−Ｂには、箱体１１０、１−Ｃには、洗浄水を入れる容器１３０、１−Ｄには、箱体１１０を容器１３０に入れた状態で、使用状態を示す。
１−Ｂにおいて、箱体１１０は、網目や有孔など少なくとも洗浄水が通過できる有孔で、マスク等の洗濯物１１１を入れるものであるが、出し入れ容易なように、箱体１１０の上面板１１２Ａに開閉容易な扉が付いているものが好都合である。
１−Ａにおいて、移動手段１２０に箱体１１０が設置された状態を示している。この例
こだわらないが、移動手段１２０は、箱体１１０を押す押し手段１２１と押し手段１２１への押し力を緩めた場合に、箱体１１０を押し戻すバネ等の弾性体による復元手段１２２を有している。
この例では、バネ等の復元手段１２２や箱体１１０を保持板１２３上の支軸１２４に保持してあることで、箱体１１０の移動は、支軸１２４に沿って上下動することになる。
復元手段１２２の圧縮と伸張の差分だけの上下移動ができる。
説明の都合上図示してあるが、洗濯物１１１は構成には含まないことは、当然である。
【００１４】
図２は、本考案にかかる洗濯用具の他の一実施態様を示す図である。
２−Ａには、洗濯用具１００を、２−Ｂには、部分断面図を、２−Ｃには、洗濯用具１００を容器１３０にいれた状態を示す。
図１のものは、支軸１２４と復元手段１２２が箱体１１０の横の周囲にあったが、図２では、箱体１１０の下面板１１２Ｂの下側にある。従って、箱体１１０を手で持った時に、保持板１２３とも一体で持てる構造になっている。図示しないが、支軸１２４自体を復元手段１２２を持つ伸縮構成にしてもよいが、更に、好ましいことは、支軸１２４が、箱体１１０の底の下面板１１２Ｂに備えた穴から内部に挿入されていて、下面板１１２Ｂの上（箱の内側）に載せた自在に動く移動板１１３に下から接続している構成ができる。そして、箱体１１０の下面板１１２Ｂと保持板１２３の間で支軸１２４に復元手段１２２が付いている。
このことにより、箱体１１０の上面板１１２Ａを下に押すと、箱体が下に沈み、保持板１２３が容器１３０の底により押し返されると、保持板１２３は、上方向に押されて、
支軸１２４が上に押され、箱体１１０に対して移動板１１３が上に上がって、移動板１１３上に載せた洗濯物を箱体１１０の上面板１１２Ａとの間で圧迫し（揉み押しの効果）、逆に、手を放すなど、箱体１１０の上面を下に押す力を除くと、箱体１１０と保持板１２３の間で支軸１２４に付いた復元手段１２２の復元力により、元の状態に復帰する。
この動作は、箱体１１０の上下動に加えて、移動板１１３の上下動という動作が招来し、揉みだし効果ももたらしている。なお、ここでは、箱体１１０の上下動の移動には、押し手段１２１の様なものは、特別には必要がなく、箱体１１０自体を手で押してもよい。
しかし、手を洗浄水につけたくない場合は、押し手段１２１のようなものを介した方が良い。
【００１５】
図３は、本考案にかかる洗濯用具の他の一実施態様を示す図である。
図１及び図２と比較して明らかなように、図２の下面板の下に備えた支軸１２４や復元手段１２２とともに、図１の横に備えた支軸１２４や復元手段１２２も備えている。
詳細な説明は不要と思われるが、この場合には、図２と同じ復元手段の効果があるので、図１と同じ復元手段１２２は、必ずしも必要ではなく、有る場合と無い場合の両者が考えられる。支軸１２４に沿った上下動は、有った方が安定な操作がしやすい効果がある。或いは、図２の箱体の下につけた支軸を１個（復元体は、無くともよい）増やして、３本構成の支軸に沿った上下動にしてもよい。
【００１６】
尚、押し手段１２１を電動機械的手段に接続し、上下動動作を行わせることも可能である。当然のことながら、構成する板は、洗浄水が通過できるようにメッシュ等有孔の状態が望ましい。又、支軸１２４が複数ある場合に、支軸１２４を支える保持板１２３は、１枚の共通の板が望ましいが、個別の複数の板になっていてもかまわない。更に支軸１２４のみで、保持板１２３が無い構成も、不安定さをなくすように構成すれば可能である。また、復元手段１２２として、コイルバネでなく、板バネを用いれば、支軸１２４も不要となるが、支軸に着いた移動板１１３による揉み動作がなくなるので、効果は減少する。
以上のことは、本願の思想の範囲である。又、支軸１２４は、図２のものは、第一の支軸、
図１のものは、第二の支軸として請求の範囲では区別した表現にした。
【産業上の利用可能性】
【００１７】
以上のように本考案にかかる洗濯用具は、簡単な構成で、揉み動作も可能な洗濯ができるので、皺やよじれ、布の劣化が少ない洗濯を提供でき産業上利用して極めて好都合である。
【００１８】
１００  洗濯用具
１１０  箱体
１１１  洗濯物
１１２Ａ  上面板
１１２Ｂ  下面板
１１３  移動板
１２０  移動手段
１２１  押し手段
１２２  復元手段
１２３  保持板
１２４  支軸
１３０  容器